(57)【要約】  携帯情報端末（ＰＤＡ）などの携帯型電子デバイスが、折り込み可能キーボードと、レーザ投影デバイス（ＬＰＤ）に連結される。ＬＰＤは、第１のフォーマット又は大きさで、ＰＤＡに収容される背面から照明されるスクリーン上に表示するか、又は、第２のフォーマット又は大きさで、外部スクリーン又は壁に表示するように制御可能なものとすることができる。
2007525704.tif 000002
【特許請求の範囲】
【請求項１】
レーザ投影ディスプレイと、
前記レーザ投影ディスプレイに連結されたキーボードと、
を含むことを特徴とする電子デバイス。
【請求項２】
前記レーザ投影ディスプレイが、レーザ光を、第１表示領域と第２表示領域の少なくとも一方の上に、選択的に投影するように構成された請求項１に記載の電子デバイス。
【請求項３】
前記レーザ投影ディスプレイが、レーザ光を、前記第１表示領域における背面から照明されるスクリーン上に投影するようになった請求項２に記載の電子デバイス。
【請求項４】
前記レーザ投影ディスプレイが、レーザ光を、前記第２表示領域における正面から照明されるスクリーン上に投影するようになった請求項３に記載の電子デバイス。
【請求項５】
前記レーザ投影ディスプレイが、レーザ光を、前記電子デバイス内のスクリーン上に投影するようになった請求項２に記載の電子デバイス。
【請求項６】
前記レーザ投影ディスプレイが、レーザ光を、前記電子デバイスの外部にあるスクリーン上に投影するようになった請求項５に記載の電子デバイス。
【請求項７】
前記キーボードが、少なくとも２つの動作位置を有する請求項１に記載の電子デバイス。
【請求項８】
前記キーボードが、前記電子デバイスに対するデータ入力又は信号制御のために前記第１の位置で動作可能である請求項７に記載の電子デバイス。
【請求項９】
前記キーボードが、前記電子デバイスに対する制限されたデータ入力又は信号制御のために前記第２の位置で動作可能である請求項８に記載の電子デバイス。
【請求項１０】
前記キーボードが、折り込み位置と拡げられた位置との間で可動である請求項１に記載の電子デバイス。
【請求項１１】
レーザ投影ディスプレイと、
前記レーザ投影ディスプレイに連結されたキーボードと、
を含むことを特徴とする携帯情報端末。
【請求項１２】
前記レーザ投影ディスプレイが、レーザ光を、第１表示領域と第２表示領域の少なくとも一方の上に、選択的に投影するように構成された請求項１１に記載の携帯情報端末。
【請求項１３】
前記レーザ投影ディスプレイが、レーザ光を、前記第１表示領域における背面から照明されるスクリーン上に投影するようになった請求項１２に記載の携帯情報端末。
【請求項１４】
前記レーザ投影ディスプレイが、レーザ光を、前記第２表示領域における正面から照明されるスクリーン上に投影するようになった請求項１３に記載の携帯情報端末。
【請求項１５】
前記レーザ投影ディスプレイが、レーザ光を、前記電子デバイス内のスクリーン上に投影するようになった請求項１２に記載の携帯情報端末。
【請求項１６】
前記レーザ投影ディスプレイが、レーザ光を、前記電子デバイスの外部にあるスクリーン上に投影するようになった請求項１５に記載の携帯情報端末。
【請求項１７】
前記キーボードが、少なくとも２つの動作位置を有する請求項１１に記載の携帯情報端末。
【請求項１８】
前記キーボードが、前記電子デバイスに対するデータ入力又は信号制御のために前記第１の位置で動作可能である請求項１７に記載の電子デバイス。
【請求項１９】
前記キーボードが、前記電子デバイスに対する制限されたデータ入力又は信号制御のために前記第２の位置で動作可能である請求項１８に記載の電子デバイス。
【請求項２０】
前記キーボードが、折り込み位置と拡げられた位置との間で可動である請求項１１に記載の電子デバイス。
【発明の詳細な説明】
【技術分野】
【０００１】
本発明は、一般に、電子ディスプレイに関し、より具体的には、携帯情報端末（ＰＤＡ）、携帯電話及び同様なものといった携帯型電子デバイス上で採用することができる多色レーザ投影ディスプレイ（ＬＰＤ）に関する。
【背景技術】
【０００２】
携帯型電子デバイス分野においては、一般に、デバイスの大きさと、その有用性との間で対立がある。すなわち、一方では、デバイスが小さければ小さいほど、携帯性が大きい。他方では、デバイスが小さければ小さいほど、それが典型的に有する機能性が少ない。この観点は、特に、携帯型電子デバイスに一般に用いられる電子ディスプレイに当て嵌まる。小さいディスプレイは携帯性を高めるが、これらは見るのが困難であり、かつ、表示することができる有益な情報量を制限する。しかし、大きいディスプレイは、携帯性を減らし、多くの場合、実質的に、電池の寿命を減らす原因になる。
【０００３】
例えば、ＰＤＡは、典型的には、ワードプロセシングプログラムを実行することができるが、そのディスプレイは、数行のテキストしか表示することができない大きさに限られている。この限られたディスプレイ能力は、ワードプロセッサとしてのＰＤＡの有用性を減少させる。同様に、携帯電話及びＰＤＡには、電子メールのメッセージを受信する機能が備わっているが、その小さいディスプレイにより、長いメッセージの読み書きが困難である。
【発明の開示】
【０００４】
本発明は、上述された１つ又はそれ以上の問題の影響を克服する、又は、少なくとも減少させることに向けられる。
【０００５】
本発明の一態様においては、電子デバイスが提供される。電子デバイスは、レーザ投影ディスプレイと、このレーザ投影ディスプレイに連結されたキーボードとで構成される。
【０００６】
本発明の別の態様においては、携帯情報端末が提供される。この携帯情報端末は、レーザ投影ディスプレイと、このレーザ投影ディスプレイに連結されたキーボードとで構成される。
【発明を実施するための最良の形態】
【０００７】
本発明は、同様な参照番号が同様の要素を示す添付図面に基づく以下の説明を参照することにより理解することができる。
【０００８】
本発明は、種々の改変及び代替的な形態が可能であるが、その特定の実施形態は、一例として図面に示され、ここで詳細に述べられる。しかし、ここでの特定の実施形態についての説明は、本発明を開示される特定の形態に限定することを意図するものではなく、逆に、添付の特許請求の範囲により定義される本発明の精神及び範囲内に入るすべての改変、等価物、及び代替的手法をカバーすることを意図することを理解すべきである。
【０００９】
本発明の例示的な実施形態を以下に述べる。明確さのために、本明細書においては、実際の実施のすべての特徴が述べられるわけではない。もちろん、こうした実際の実施形態のいずれにおける開発でも、実施ごとに異なる、システム関連及び事業関連の制約との追従性といった、開発者の特定の目標を実現するために、幾多の実施特有の決定をしなければならない。さらに、こうした開発努力は複雑で、時間のかかるものであるが、それにもかかわらず、この開示の利点を得た当業者にとっては、通常の技術であることが理解される。
【００１０】
以下の同時係属中の出願を、本明細書において全体を引用によりここに組み入れる。Ｍｉｋ  Ｓｔｅｒｎ他によるＭｅｔｈｏｄ  ａｎｄ  Ａｐｐａｒａｔｕｓ  ｆｏｒ  Ａｌｉｇｎｉｎｇ  ａ  Ｐｌｕｒａｌｉｔｙ  ｏｆ  Ｌａｓｅｒｓ  ｉｎ  ａｎ  Ｅｌｅｃｔｒｏｎｉｃ  Ｄｉｓｐｌａｙ  Ｄｅｖｉｃｅ、Ｍｉｋ  Ｓｔｅｒｎ他によるＭｅｔｈｏｄ  ａｎｄ  Ａｐｐａｒａｔｕｓ  ｆｏｒ  Ｃｏｎｔｒｏｌｌａｂｌｙ  Ｒｅｄｕｃｉｎｇ  Ｐｏｗｅｒ  Ｄｅｌｉｖｅｒｅｄ  ｂｙ  ａ  Ｌａｓｅｒ  Ｐｒｏｊｅｃｔｉｏｎ  Ｄｉｓｐｌａｙ、Ｎａｒａｙａｎ  Ｎａｍｂｕｄｉｒｉ他によるＭｅｔｈｏｄ  ａｎｄ  Ａｐｐａｒａｔｕｓ  ｆｏｒ  Ｄｉｓｐｌａｙｉｎｇ  Ｉｎｆｏｒｍａｔｉｏｎ  ｉｎ  Ａｕｔｏｍｏｔｉｖｅ  Ａｐｐｌｉｃａｔｉｏｎｓ  Ｕｓｉｎｇ  ａ  Ｌａｓｅｒ  Ｐｒｏｊｅｃｔｉｏｎ  Ｄｉｓｐｌａｙ、Ｎａｒａｙａｎ  Ｎａｍｂｕｄｉｒｉ他によるＭｅｔｈｏｄ  ａｎｄ  Ａｐｐａｒａｔｕｓ  ｆｏｒ  Ｐｒｏｖｉｄｉｎｇ  ａｎ  Ｉｎｔｅｒｆａｃｅ  Ｂｅｔｗｅｅｎ  ａ  Ｌｉｑｕｉｄ  Ｃｒｙｓｔａｌ  Ｄｉｓｐｌａｙ  Ｃｏｎｔｒｏｌｌｅｒ  ａｎｄ  ａ  Ｌａｓｅｒ  Ｐｒｏｊｅｃｔｉｏｎ  Ｄｉｓｐｌａｙ、Ｐａｕｌ  Ｄｖｏｒｋｉｓ他によるＡ  Ｃｏｌｏｒ  Ｌａｓｅｒ  Ｐｒｏｊｅｃｔｉｏｎ  Ｄｉｓｐｌａｙ、Ｃｈｉｎｈ  Ｔａｎ他によるＭｅｔｈｏｄ  ａｎｄ  Ａｐｐａｒａｔｕｓ  ｆｏｒ  Ｃａｐｔｕｒｉｎｇ  Ｉｍａｇｅｓ  Ｕｓｉｎｇ  Ａ  Ｃｏｌｏｒ  Ｌａｓｅｒ  Ｐｒｏｊｅｃｔｉｏｎ  Ｄｉｓｐｌａｙ、Ｒｏｎ  Ｇｏｌｄｍａｎ他によるＬａｓｅｒ  Ｐｒｏｊｅｃｔｉｏｎ  Ｄｉｓｐｌａｙ、Ｃａｒｌ  ＷｉｔｔｅｎｂｅｒｇによるＭｅｔｈｏｄ  ａｎｄ  Ａｐｐａｒａｔｕｓ  ｆｏｒ  Ｃｏｎｔｒｏｌｌａｂｌｙ  Ｃｏｍｐｅｎｓａｔｉｎｇ  ｆｏｒ  Ｄｉｓｔｏｒｔｉｏｎｓ  ｉｎ  ａ  Ｌａｓｅｒ  Ｐｒｏｊｅｃｔｉｏｎ  Ｄｉｓｐｌａｙ、及び、Ｄｍｉｔｒｙ  Ｙａｖｉｄ他によるＭｅｔｈｏｄ  ａｎｄ  Ａｐｐａｒａｔｕｓ  ｆｏｒ  Ｃｏｎｔｒｏｌｌａｂｌｙ  Ｍｏｄｕｌａｔｉｏｎｇ  ａ  Ｌａｓｅｒ  ｉｎ  ａ  Ｌａｅｒ  Ｐｒｏｊｅｃｔｉｏｎ  Ｄｉｓｐｌａｙ。
【００１１】
ここで図面、特に図１を参照すると、本発明の一実施形態によるレーザ投影ディスプレイ（ＬＰＤ）１００の様式的なブロック図が示されている。図示実施形態においては、ＬＰＤ１００は、３つのレーザ１０２、１０４、１０６を含み、この各々は、赤色、緑色、青色といった独特な色で構成される光ビーム１０８、１１０、１１２を射出することができる。当業者であれば、レーザの数、及びそこから射出された光の色は、本発明の精神及び範囲から離れることなく変更することができることを理解するであろう。
【００１２】
レーザ１０２、１０４、１０６は、共通の平面１１４に配置されて、光ビーム１０８、１１０、１１２は互いに傾斜して向けられ、第１走査ミラー１１８といった第１の走査デバイス上の実質的に共通の位置１１６上に入るようになり、ここから光ビーム１２０、１２２、１２４として反射される。図示実施形態においては、第１走査ミラー１１８は、比較的高速で、軸１２０上で振動する（例えば、約２０ないし３０ＫＨｚ）。第１走査ミラー１１８の回転又は振動は、光ビーム１０８、１１０、１１２を移動させる。すなわち、第１走査ミラー１１８の角度方向位置が変わると、第１走査ミラー１１８からの光ビーム１２０、１２２、１２４の反射角度も変わる。従って、ミラーが振動すると、反射された光ビーム１２０、１２２、１２４が走査されて、二次元ディスプレイの１つの部品に沿った光ビーム１２０、１２２、１２４の移動を生成する。
【００１３】
二次元ディスプレイの第２の部品は、ミラー１２６といった第２の走査デバイスにより生成される。図示実施形態においては、第２ミラー１２６は、ピボット点１３０においてモータ１２８に連結されて、第１ミラー１１８の回転軸に対してほぼ直角の軸の周りに回転運動又は振動運動を生成する。光ビーム１２０、１２２、１２４は、光ビーム１３２、１３４、１３６として第２ミラー１２６から反射され、視認表面１３８に向けられる。視認表面１３８は、本発明の精神及び範囲から離れることなく、様々な形態のいずれをも取ることができる。例えば、視認表面１３８は、レーザ１０２、１０４、１０６により、正面又は背面から照明される固定スクリーンであってもよいし、ＬＰＤ１００に一般的なハウジング（図示せず）内に収容されていてもよいし、或いは、視認表面１３８は、利便性ある形態のいずれか、すなわち、ＬＰＤ１００から離間された壁又はスクリーンといった一般に平らな表面を取ってもよい。
【００１４】
第２ミラー１２６は、第１ミラー１１８の速度と比較すると、相対的に低速で振動又は回転する（例えば、約６０Ｈｚ）。従って、図２に示すように、光ビーム１３２、１３４、１３６は、一般に、ディスプレイ表面１３８上の経路１４０を辿ることが理解されるであろう。当業者であれば、経路１４０は、カソード光線管テレビ及びコンピュータのモニタに一般に採用されるラスタ走査と同様な形状及び概念であることを理解するであろう。
【００１５】
本発明は、ここでは、別個の第１走査ミラー１１８及び第２走査ミラー１２６を採用する実施形態の内容で述べられるが、当業者であれば、同様な経路１４０は、単一のミラーを用いることにより生成することができることを理解するであろう。単一のミラーは、２つの回転軸の周りを移動して、２つの直角の軸に沿って、高速の振動運動及び低速の振動運動を与えることができる。
【００１６】
図１により明らかであるように、レーザ１０２、１０４、１０６の傾斜した位置決めのために、レーザ１０２、１０４、１０６が、光ビーム１０８、１１０、１１２を同じ平面１１４内、及び、ミラー１１８上の（回転軸１２０における）同じ点に供給するように機械的及び光学的に配置されていたとしても、各々は異なる反射角度を有して、光ビーム１２０、１２２、１２４を発散させる。制御装置１４２は、レーザ１０２、１０４、１０６を制御可能に活性させて、効率的に、光ビーム１２０、１２２、１２４を同一線上にし、これらが第２ミラー１２６から反射されて、第２ミラーから視認表面１３８までの距離とは比較的独立した、視認表面１３８上の同じ点に供給されるようにする。
【００１７】
ここで図３Ａ及び図３Ｂを参照すると、制御装置１４２が光ビーム１２０、１２２、１２４を同一線上にする動作が説明されている。説明を簡単にするために、図３においては、２つのレーザ１０２、１０４のみを示すが、当業者であれば、ここで説明される概念は、本発明の精神及び範囲から離れることなく、３つ又はそれ以上のレーザに拡張することができることを理解するであろう。図３Ａに示すように、レーザ１０２、１０４が同時に活性化されたときには、反射された光ビーム１２０、１２２は発散する。しかし、図３Ｂに示すように、レーザ１０２、１０４がわずかに異なる時間に活性化された場合には、光ビーム１２０、１２２は、単一の共通経路を辿るようにすることができる（すなわち、光ビーム１２０、１２２は同一線上になる）。例えば、レーザ１０２が第１の時間ｔ１で活性化された場合には、ミラー１１８は、実線で表わされる第１の位置になり、光ビーム１０８は、光ビーム１２０のようにミラー１１８から反射する。次いで、レーザ１０４が第２の時間ｔ２で活性化された場合には、ミラー１１８は、光ビーム１２２のようにミラー１１８から反射する。時間ｔ２を精密に制御することにより、ミラー１１８は、光ビーム１２０と実質的に同じ経路に沿って、光ビーム１２２を正確に反射する位置になる。
【００１８】
従って、制御装置１４２の動作により、光ビーム１２０、１２２は、実質的に同一線上になるが、そのうちわずかに変位される。すなわち、光ビーム１２０、１２２は、ここで、両方とも、わずかに異なる時間においてであるが、ディスプレイ表面１３８上の実質的に同じ点の上に投影される。しかし、人間の視覚の存続により、タイミングの変動を検出することはできない。すなわち、図１に述べられた３つのレーザシステムの場合においては、レーザ１０２、１０４、１０６の各々は、独特な色及び強さのレーザ光を、比較的短いウィンドウ時間内で制御可能に視認表面１３２上のほぼ同じ点に供給する。人間の目は、３つの別個の色を検出することはないが、３つの光ビームの配合を知覚して、一貫した、望ましい色相が視認表面上のその点に現れるようになる。当業者であれば、この工程は、視認表面１３２上に画像を再生成するために、経路１４０に沿って何度も繰り返すことができることを理解するであろう。
【００１９】
本発明においては、ＬＰＤは、ＰＤＡ、携帯電話、ＤＶＤプレーヤー、及び同様なものといった携帯型電子デバイスの使用し易さを改善するように用いられる。添付図面は、ＬＰＤを折り込みキーボードと組み合わせて、利便性ある入力／出力機能をもつ本格的なコンピュータとして機能することができる小さいＰＤＡデバイスを生成する本発明の実施形態を示す。
【００２０】
図４は、折り込まれたキーボード４０２を背面にもつＰＤＡ４００を示す。このモードにおいては、ＰＤＡは、キーボード４０２が背面に折り込まれているためにおそらく厚さが増加した、よく知られたＰａｌ又はｉＰａｃｋと同様なものである。折り込まれたキーボード４０２は、ＰＤＡ４００に永久的に取り付けてもよいし、又は、取り外し可能なアクセサリであってもよい。
【００２１】
折り込み可能な投影スクリーン４０４は、一体的なデバイスとして与えてもよいし、又は、取り外し可能なアクセサリとして与えてもよい。当業者であれば、ＬＰＤの使用により、ＰＤＡ４００及びキーボード４０２を投影スクリーン４０４なしで用いることを可能にすることができることを理解するであろう。むしろ、ＬＰＤは、壁のような利便性ある平らな表面のいずれかの上に表示されるように配置及び構成することができる。
【００２２】
図５は、部分的に拡げられたキーボード４０２及び投影スクリーン４０４を示す。キーボード４０２は上部にあるが、ＰＤＡ４００は逆側すなわち、折り込みの１つの底面にある状態で視認される。キーボード４０２の上には、部分的に拡げられた投影スクリーン４０４がある。
【００２３】
図６は、完全に拡げられたキーボード４０２と、やはり完全に拡げられた投影スクリーン４０４上に投影するＬＰＤ６００とを示す。投影スクリーン４０４の大きさの必要条件に応じて、これを永久的に装置に取り付けることができる。投影スクリーン４０４がキーボード４０２に取り付けられた場合には、LＰＤ６００に近くなり、したがって、投影スクリーン４０４上に表示される画像の大きさは小さくなる。ＬＰＤ６００は、表示を、利用可能な表面のいずれにおいても投影することができることに注目されたい。折り込み可能スクリーン４０４は、付加的な利便性のために与えることができる。さらに、投影スクリーン４０４は、レーザ波長又は赤色・緑色・青色の表示のための波長にとって良好なリフレクタになり、他の波長の反射を減少させるように設計することができる。したがって、スクリーン上に入射する周辺光の反射を減少させ、これによって表示のコントラストを改善する。したがって、幾つかの適用例においては、不良な反射及び吸収特性を有することがある不規則に利用可能な平らな表面ではなく、ＬＰＤ６００の特性に対して、特別に調整された投影スクリーンを与えることが有益とすることができる。
【００２４】
ＰＤＡ４００及びキーボード４０２が、図４に示すような折り込み位置に向けられた場合には、表示領域４０６はＰＤＡ４００のユーザにより視認することができる。表示領域４０６は、逆投影スクリーン形態を取って、ＰＤＡ４００のオペレータにより視認されるように、ＬＰＤ６００からのレーザ光を、背面から照明される投影スクリーン４０６の逆側に走査することができる。背面から照明される投影スクリーンは、当業者に知られる様々な形態のいずれかを取って、逆投影スクリーンを含む材料が、ＬＰＤ６００からのレーザ光の大部分がそこを通り、ＰＤＡ４００のオペレータにより視認されることを可能にすることができる。
【００２５】
ＰＤＡ４００の一実施形態においては、ＬＰＤ６００は、第１の位置と第２の位置との間を移動するように配置することができる。第１の位置においては、ＬＰＤ６００は、レーザ光を逆投影スクリーン４０６の逆側に投影するように配置される。第２の位置においては、ＬＰＤ６００は、レーザ光を、投影スクリーン４０４の外方にかつこの投影スクリーン４０４上、又は、ＰＤＡ４００の外側にある望ましい比較的平らな表面のいずれかに投影するように配置される。当業者であれば、第１の位置及び第２の位置は、ＬＰＤ６００の向きを変化させることにより、レーザ光が移動する光路を変更することにより、又は、これらの両方の組み合わせにより実現することができることを理解するであろう。光路は、ミラー、レンズその他同様なものといった１つ又はそれ以上の光学素子を、交互に、レーザ光の光路の中に挿入又はそこから除去することにより変更することができる。このようにして、ＰＤＡ４００のオペレータにより選択される動作モードに応じて、レーザ光は、背面から照明される投影スクリーン４０６又は投影スクリーン４０４のいずれかに入るように、その方向を変えることができる。例えば、幾つかの適用例においては、オペレータは、量が制限された情報に入り、アクセスすることを望むことがある。この動作モードにおいては、ＰＤＡ４００は、比較的小さい表示領域が視認可能であり、比較的少数のボタン又はスイッチがデータ入力のために利用可能な図４に示すように、ＰＤＡ４００を配置することができる。或いは、制限されたデータのみが入力されるが、大量の情報を視認する場合には、ＰＤＡ４００は、図４の折り込み位置に構成することができるが、光路は第２の位置に向けて、大きく、読みやすい表示を投影スクリーン４０４上に投影することができる。大量のデータを入力する必要がある第３の動作モードにおいては、オペレータが、通常のキーボード構成といった大幅に大きい数の入力デバイスへのアクセスをもつキーボード４０２を図６に示す構成に拡げることができる。
【００２６】
第４の又はハイブリッドの動作モードにおいては、キーボード４０２は、例えば、オペレータによるアクセスのために、キーボード４０２の一部を露出させるように、部分的に拡げることができる。この部分的に拡げられた動作モードにおいては、キーボード４０２は、制限されたデータ入力のために用いることができる。例えば、部分的に拡げられた動作モードにおいては、キーボードの露出部分を数字キーパッドとして、ＰＤＡ４００の動作中などにおいて、計算機又はスプレッドシートとして数字データを入力することができる。この第４の動作モードにおいては、オペレータは、表示を内部スクリーン４０６又は外部スクリーン４０４に与えるように選択することができる。当業者であれば、ＬＰＤ６００が画像を背面から照明されるスクリーン上に投影する場合には、ＬＰＤ６００が画像を正面から照明されるスクリーン上に投影する場合とは異なり、その外観が反転されることを理解するであろう。当業者であれば、画像は、ＬＰＤ６００のソフトウェア制御によって、又は、レーザ光が供給される光路を変更することにより、反転されることを理解するであろう。この反転は、現在使用されているスクリーンに応じて、自動的に生じるようにプログラムすることができ、又は、オペレータが人為的にスイッチを選択することによって、又は、レーザ光が供給される光路を物理的に修正することによって制御することができる。
【００２７】
本発明の代替的な実施形態においては、ＰＤＡ４００の幾つかの適用例においては、ＬＰＤ６００が相対的に小さいスクリーン４０６上に表示されるように構成されているか又は大きいスクリーン４０４上に表示するように構成されているかに応じて、表示モード間で切り替えることが有益とすることができる。すなわち、ＰＤＡ４００が、ＬＰＤ６００が小さいスクリーン４０６上で表示するように構成されていると「知っている」場合には、大きいフォント及びアイコンを用いて表示するように、及び／又は、スクリーン４０６上に与えられるデータ量を制限するようにプログラムすることができる。しかし、ＰＤＡ４００が、ＬＰＤ６００が大きいスクリーン４０６上で表示するように構成されていると「知っている」場合には、小さいフォント及びアイコンを用いて表示するように、及び／又は、スクリーン４０６上に、より多くのデータ量を与えるようにプログラムすることができる。
【００２８】
図７は、幾つかの付加的な実施形態、及び、折り込み投影スクリーンを収容する際の可能性のある方法を示す。
【００２９】
他に特に明記されていない限り、又は、説明から明らかであるように、「処理する」又は「コンピューティング」又は「計算する」又は「定める」又は「表示する」その他同様なものといった用語は、コンピュータシステムのレジスタ及びメモリ内の物理的な電子量として表現されるデータを、コンピュータシステムのレジスタ及びメモリ内、又は他のこうした情報格納部、伝送又は表示デバイス内の物理的な電子量として表現される同様なデータに操作及び変換するコンピュータシステム又は同様な電子コンピューティングデバイスの動作又はプロセスを指す。
【００３０】
当業者であれば、ここでの種々の実施形態に示される種々のシステム層、ルーチン、又はモジュールは、実行可能な制御ユニットとすることができることを理解するであろう。制御ユニットは、マイクロプロセッサ、マイクロコントローラ、デジタル信号プロセッサ、プロセッサカード（１つ又はそれ以上のマイクロプロセッサ又は制御装置を含む）、又は他の制御デバイス又はコンピューティングデバイスを含むことができる。この説明において言及される格納デバイスは、データ及び命令を格納するための１つ又はそれ以上の機械可読格納媒体を含むことができる。格納媒体は、動的又は静的ランダムアクセスメモリ（ＤＲＡＭ又はＳＲＡＭ）、消去可能でプログラム可能な読み出し専用メモリ（ＥＰＲＯＭ）、電子的に消去可能でプログラム可能な読み出し専用メモリ（ＥＥＰＲＯＭ）、及びフラッシュメモリといった半導体メモリ、固定のフロッピー形態の除去可能ディスクといった磁気ディスク、テープを含む他の磁気媒体、及びコンパクトディスク（ＣＤ）又はデジタルビデオディスク（ＤＶＤ）といった光学媒体を含む、異なるメモリ形態を含むことができる。種々のシステムにおける種々のソフトウェア層、ルーチン、又はモジュールは、それぞれの格納デバイス内に格納することができる。命令が制御ユニットにより実行された場合には、対応するシステムがプログラムされた動作を実行するようにさせる。
【００３１】
本発明は、ここでの教示の利点を得た当業者に明らかな、異なるが、等価な手法により修正され、実行することができるため、上に開示された特定の実施形態は、例示的なものに過ぎない。さらに、特許請求の範囲に記載されるもの以外に、ここに示される構成又は設計の詳細に対しては、どのような制限も意図されていない。従って、説明されたシステムを実施し、使用するのに必要とされる処理回路は、特定用途向け集積回路、ソフトウェアにより駆動される処理回路、ファームウェア、プログラム可能な論理デバイス、ハードウェア、本開示の利益を得た当業者により理解される個別の部品又は上述の部品の構成において実施することができる。したがって、上で開示された特定の実施形態は、改変又は修正することができ、すべてのこうした変形態様は、本発明の範囲及び精神の中にあると考えられる。したがって、ここで要求される保護は、特許請求の範囲に述べられる。
【図面の簡単な説明】
【００３２】
【図１】本発明に採用することができるレーザ投影デバイス（ＬＰＤ）の一実施形態の平面図の様式的なブロック図である。
【図２】図１に示す視認表面の様式的な図である。
【図３Ａ】動作中の時間における走査デバイスの平面図を示す。
【図３Ｂ】動作中の時間における走査デバイスの平面図を示す。
【図４】図１に示す種類のＬＰＤを採用する携帯型電子デバイスの様式的な図である。
【図５】図４の携帯型電子デバイスを部分的に配置した構成の様式的な図である。
【図６】図４の携帯型電子デバイスを実質的に完全に配置した構成の様式的な図である。
【図７】ＬＰＤを採用する携帯型電子デバイスの代替的な実施形態を示す。
【図１】
2007525704.tif 000003
【図２】
2007525704.tif 000004
【図３Ａ】
2007525704.tif 000005
【図３Ｂ】
2007525704.tif 000006
【図４】
2007525704.tif 000007
【図５】
2007525704.tif 000008
【図６】
2007525704.tif 000009
【図７】
2007525704.tif 000010
【手続補正書】
【提出日】平成18年7月25日(2006.7.25)
【手続補正１】
【補正対象書類名】特許請求の範囲
【補正対象項目名】全文
【補正方法】変更
【補正の内容】
【特許請求の範囲】
【請求項１】
画像を投影するための装置であって、
ａ）携帯型ハウジングと、
ｂ）前記ハウジングにより支持され、相互に直交する軸に沿ってレーザ光を掃引し、画像を投影するための画像プロジェクタと、
ｃ）前記画像プロジェクタにより投影される画像を表示するためのディスプレイと、
ｄ）前記画像に関するデータを人為的に入力するためのキーボードと、
を含み、
ｅ）前記キーボードと前記ディスプレイの少なくとも一方が、コンパクトな格納及び前記ハウジングとの移送のために折り込み可能になった、
ことを特徴とする装置。
【請求項２】
前記ハウジングが、携帯情報端末、電話、及びデジタルメディアプレーヤーで構成される群から選択された請求項１に記載の装置。
【請求項３】
前記画像プロジェクタが、前記軸の一方に沿って延びる走査線に沿って前記レーザ光を掃引するための第１の振動性走査ミラーと、前記軸の他方のものに沿って走査線を掃引するための第２の振動性走査ミラーとを含み、走査線のラスタパターンを生成するようになった請求項１に記載の装置。
【請求項４】
前記ハウジングが外囲いを有し、前記キーボードが、格納状態に折り込まれ、かつ、動作状態に拡げられる折り込み可能部分を有し、前記格納状態では前記折り込み可能部分がハウジングの外囲いの中に入り、前記動作状態では前記折り込み可能部分が前記ハウジングの前記外囲いを越えて延びる請求項１に記載の装置。
【請求項５】
前記ハウジングが平坦な壁を有し、前記格納状態においては、前記折り込み可能部分が、前記壁に対して平らに折り込まれる請求項４に記載の装置。
【請求項６】
前記キーボードが、永久的に前記ハウジングに取り付けられた請求項１に記載の装置。
【請求項７】
前記キーボードが、取り外し可能に前記ハウジングに取り付けられた請求項１に記載の装置。
【請求項８】
前記ディスプレイが、画像投影中に、前記ハウジングから遠隔に配置された請求項１に記載の装置。
【請求項９】
前記ディスプレイが、前記ハウジングに取り付けられた第１表示スクリーン、及び、前記ハウジングから遠隔に取り付けられた第２表示スクリーンの一方を含み、前記第２表示スクリーンが折り込み可能である請求項１に記載の装置。
【請求項１０】
前記画像プロジェクタが、前記表示スクリーンの一方に画像を投影する請求項９に記載の装置。
【請求項１１】
前記キーボードが、前記ハウジングに取り付けられた第１の組のキー、及び、前記ハウジング上の折り込み可能キーボード部分に取り付けられた第２の組のキーの一方を含む請求項１に記載の装置。
【請求項１２】
オペレータのウエストにおいて前記ハウジングを支持するためのウエストキャリアを前記ハウジング上に含む請求項１に記載の装置。
【請求項１３】
画像を投影する方法であって、
ａ）画像プロジェクタを携帯型ハウジング上に支持するステップと、
ｂ）相互に直交する軸に沿ってレーザ光を掃引して、画像を投影するように前記画像プロジェクタを動作させるステップと、
ｃ）前記画像プロジェクタにより投影される画像をディスプレイ上に表示させるステップと、
ｄ）前記画像に関するデータをキーボード上で人為的に入力するステップと、
ｅ）コンパクトな格納及び前記ハウジングとの移送のために、前記キーボード及び前記ディスプレイの少なくとも一方を折り込むステップと、
を含む方法。
【請求項１４】
前記動作させるステップが、第１走査ミラーを振動させて、前記軸の一方に沿って延びる走査線に沿って前記レーザ光を掃引し、第２走査ミラーを振動させて、前記軸の他方のものに沿って前記走査線を掃引して、走査線のラスタパターンを生成するようすることにより実行される請求項１３に記載の方法。
【請求項１５】
前記キーボードを折り込み可能部分により構成するステップが、前記折り込み可能部分がハウジングの外囲いの中に入る格納状態に前記折り込み可能部分を折り込むことにより実行される折り込みステップと、前記折り込み可能部分が前記ハウジングの外囲いを越えて延びる動作状態に前記折り込み可能部分を拡げるステップと、を含む請求項１３に記載の方法。
【請求項１６】
前記折り込みステップが、前記折り込み可能部分を前記格納状態の前記ハウジングに対して平らに折り込むことにより実行される請求項１５に記載の方法。
【請求項１７】
前記ディスプレイが、前記ハウジングに取り付けられた第１表示スクリーン、及び、前記ハウジングから遠隔に取り付けられた第２表示スクリーンの一方を含み、前記折り込みステップが、前記第２表示スクリーンにより実行される請求項１３に記載の方法。
【請求項１８】
前記動作させるステップが、前記表示スクリーンの一方に画像を投影することにより実行される請求項１７に記載の方法。
【請求項１９】
前記キーボードが、前記ハウジングに取り付けられた第１の組のキー、及び、前記ハウジング上の折り込み可能部分に取り付けられた第２の組のキーの一方を含む請求項１３に記載の方法。
【請求項２０】
前記支持するステップが、オペレータのウエストにおいて前記ハウジングを支持することを含む請求項１３に記載の方法。
【国際調査報告】
2007525704.tif 000011
2007525704.tif 000012
2007525704.tif 000013
2007525704.tif 000014